(57)【特許請求の範囲】
【請求項１】
物品を挟持するための挟持部と、この挟持部を有する保持具本体と、この保持具本体を物品に近接する方向に移動させるための移動部と、この移動部によるこの保持具本体の移動を規制するための規制部と、を有し、
上記規制部が上記保持具本体に設けられ、
上記保持具本体が、複数の保持具本体より成り、これら複数の保持具本体に設けられている上記挟持部が、相互に当接しないように、上記規制部が形成され、
上記複数の保持具本体は、上記移動部によって、同一の揺動軸を支点として揺動し、かつ上記挟持部が、この複数の保持具本体の揺動により相互に近接方向又は離間方向に移動するとともに、上記規制部がこれら複数の保持具本体に設けられる揺動軸受け部に設けられていることを特徴とする物品保持具。
【請求項２】
上記複数の保持具本体の一方に設けられている上記挟持部が凹部形状となっており、他方に設けられている上記挟持部が凸部形状となっていることを特徴とする請求項１に記載の物品保持具。
【請求項３】
上記凹部形状の挟持部及び上記凸部形状の挟持部の少なくとも一部に摩擦部が設けられていることを特徴とする請求項２に記載の物品保持具。
【請求項４】
上記複数の保持具本体に設けられている上記挟持部の断面形状が鋸形状となっていることを特徴とする請求項１に記載の物品保持具。
【請求項５】
上記複数の保持具本体が、第１の保持具本体と第２の保持具本体とで構成され、上記規制部が、この第１の保持具本体に設けられた第１の当接部と、この第２の保持具本体に設けられた第２の当接部との当接により構成されることを特徴とする請求項１に記載の物品保持具。
【請求項６】
上記第１の保持具本体及び／又は上記第２の保持具本体に対して、これらの外側より上記揺動軸に向かって荷重が加わった際に、その荷重を上記第１及び第２の当接部及びこれら第１及び第２の保持具本体に設けられた荷重受け部で受ける構成となっていることを特徴とする請求項５に記載の物品保持具。
【請求項７】
上記移動部が上記複数の保持具本体を、相互に近接方向に付勢させる付勢力を有する弾性部材であることを特徴とする請求項１に記載の物品保持具。
【請求項８】
上記弾性部材がコイルバネであり、このコイルバネの一端部を格納するためにバネ形状と同様の形状のバネ格納部が、上記保持具本体に設けられていることを特徴とする請求項７に記載の物品保持具。
【発明の詳細な説明】
【０００１】
【発明の属する技術分野】
本発明は、物品を挟持して保持するための物品保持具に関するものである。
【０００２】
【従来の技術】
従来、物品、例えばタオル地等を挟持して保持するための物品保持具である例えばクリップ等は、図２１に示すように構成されていた。
図２１に示すように、クリップ１０は揺動軸１１を中心に揺動するクリップ本体１２とクリップ本体１３とを有している。このクリップ本体１２には、物品を直接、挟持するための凹部形状の凹部挟持部１２ａが設けられている。また、このクリップ本体Ｂ１３にも、物品を直接、挟持するための凸部形状の凸部挟持部１３ａが設けられている。
そして、この凹部挟持部１２ａと凸部挟持部１３ａとは、図２１に示すように噛み込むようになっている。この噛み込みは、クリップ本体１２とクリップ本体１３とが、それぞれ相互に当接する方向に移動することによって生じるようになっている。このようにクリップ本体１２とクリップ本体１３とが、相互に当接する方向に移動するのは、図示しないバネの付勢力によって付勢されているためである。
逆に、クリップ本体１２とクリップ本体１３とが、離間方向に移動する場合は、使用者が、これらクリップ本体１２とクリップ本体１３の端部にバネの付勢力以上の力を加えることにより行う。
【０００３】
このように構成されているクリップ１０を使用する方法について、以下説明する。先ず、使用者は、上述のように、クリップ本体１２とクリップ本体１３の端部を保持し、バネの付勢力に抗するように、力を加える。これにより、クリップ本体１２に設けられている凹部挟持部１２ａとクリップ本体１３に設けられている凸部挟持部１３ａが、相互に離間する方向に移動することになる。
このとき、これら凹部挟持部１２ａと凸部挟持部１３ａの間に挟持しようとする対象物品を配置する。その後、使用者が、上記クリップ本体１２とクリップ本体１３の端部に加えている力を緩めることで、上記バネの付勢力によって、上記凹部挟持部１２ａと凸部挟持部１３ａが当接する方向に移動し、その後、物品を挟んだ状態で、停止する。
この状態を示した図が、図２２である。図においてクリップ１０の凹部挟持部１２ａと凸部挟持部１３ａとによって、挟持されているのはタオル地１４である。このようにして、タオル地１４をクリップ１０で挟持し、保持することができるようになり、例えば幼児用エプロン等の様々な用途に用いることができる。
【０００４】
【発明が解決しようとする課題】
ところが、このタオル地１４は、綿織物等で形成されており、その表面に輪奈糸が設けられている。この輪奈糸は、図２２で示すループ１４ａを有するものである。
このようなループ１４ａを有するタオル地１４を上述のようにクリップ１０に保持させ、例えば幼児用エプロン等として使用した後、このクリップ１０から取り外すとき、通常、使用者はこのタオル地１４を図２２の矢印イの方向に引っ張ることにより、クリップ１０から外そうとする。
このようにして、タオル地１４を使用者が引っ張ると、タオル地１４の移動に伴いクリップ１０の凹部挟持部１２ａと凸部挟持部１３ａがバネの付勢力により当接する方向に動くことになる。
そして、タオル地１４がクリップ１０によって、ほとんど挟持されない状態になったとき、最後にタオル地１４のループ１４ａのみが、図２３に示すように、上記凹部挟持部１２ａと凸部挟持部１３ａに挟持されてしまうことになる。
このようにタオル地１４のループ１４ａをクリップ１０の凹部挟持部１２ａと凸部挟持部１３ａによって挟持されてしまうと、タオル地１４の「ほつれ」が生じ、タオル地１４自体を傷めてしまうという問題があった。
【０００５】
また、このタオル地１４の「ほつれ」を防止するため、バネ力を弱めて、クリップ１０の凹部挟持部１２ａと凸部挟持部１３ａの挟持力を弱くする方法もあるが、これでは、クリップ１０でタオル地１４を保持したいときに、十分な保持力を保つことができず、クリップ１０からタオル地１４が外れてしまうという問題もあった。
【０００６】
本発明は、以上の点に鑑み、物品に損傷等を与えることなく、物品を着脱でき、かつ保持することができる物品保持具を提供することを目的としている。
【０００７】
【課題を解決するための手段】
上記目的は、請求項１の発明によれば、物品を挟持するための挟持部と、この挟持部を有する保持具本体と、この保持具本体を物品に近接する方向に移動させるための移動部と、この移動部によるこの保持具本体の移動を規制するための規制部と、を有し、上記規制部が上記保持具本体に設けられ、上記保持具本体が、複数の保持具本体より成り、これら複数の保持具本体に設けられている上記挟持部が、相互に当接しないように、上記規制部が形成され、上記複数の保持具本体は、上記移動部によって、同一の揺動軸を支点として揺動し、かつ上記挟持部が、この複数の保持具本体の揺動により相互に近接方向又は離間方向に移動するとともに、上記規制部がこれら複数の保持具本体に設けられる揺動軸受け部に設けられていることを特徴とする物品保持具により、達成される。
【０００８】
上記構成によれば、上記物品保持具には、上記移動部による保持具本体の移動を規制するための規制部が設けられているため、この規制部によって、この保持具本体に設けられた上記挟持部の移動も規制される。
【００１０】
上記構成によれば、上記保持具本体に上記移動部による保持具本体の移動を規制するための規制部が設けられているため、この規制部によって、この保持具本体に設けられた上記挟持部の移動も規制される。
【００１２】
上記構成によれば、上記複数の保持具本体に設けられている上記挟持部が、相互に当接しないように上記規制部が形成されているので、挟持した上記物品の端部のみを強く挟持することはない。
【００１３】
また、好ましくは、請求項１の構成において、上記複数の保持具本体の一方に設けられている上記挟持部が凹部形状となっており、他方に設けられている上記挟持部が凸部形状となっていることを特徴とする物品保持具により、達成される。
【００１４】
上記構成によれば、上記複数の保持具本体の一方に設けられている上記挟持部が凹部形状となっており、他方に設けられている上記挟持部が凸部形状となっているため、上記物品を確実に挟持することができる。
【００１５】
また、好ましくは、請求項２の構成において、上記凹部形状の挟持部及び上記凸部形状の挟持部の少なくとも一部に摩擦部が設けられていることを特徴とする物品保持具により、達成される。
【００１６】
上記構成によれば、上記凹部形状の挟持部及び上記凸部形状の挟持部の少なくとも一部に摩擦部が設けられているため、より確実に上記物品を挟持することができる。
【００１７】
なお、好ましくは、請求項１の構成において、上記複数の保持具本体に設けられている上記挟持部の断面形状が鋸形状となっていることを特徴とする物品保持具により、達成される。
【００１８】
上記構成によれば、上記複数の保持具本体に設けられている上記挟持部の断面形状が鋸形状となっているため、これらの挟持部によって上記物品をより確実に挟持することができる。
【００２１】
また、好ましくは、請求項１の構成において、上記複数の保持具本体が、第１の保持具本体と第２の保持具本体とで構成され、上記規制部が、この第１の保持具本体に設けられた第１の当接部と、この第２の保持具本体に設けられた第２の当接部との当接により構成されることを特徴とする物品保持具により、達成される。
【００２２】
上記構成によれば、上記規制部が、上記第１の保持具本体に設けられた第１の当接部と、上記第２の保持具本体に設けられた第２の当接部との当接により構成されているため、これら第１及び第２の保持具本体の揺動の規制を、さらに正確に行うことができる。したがって、上記挟持部の移動の規制もさらに正確に行われることになる。
【００２３】
なお、好ましくは、請求項５の構成において、上記第１の保持具本体及び／又は上記第２の保持具本体に対して、これらの外側より上記揺動軸に向かって荷重が加わった際に、その荷重を上記第１及び第２の当接部及びこれら第１及び第２の保持具本体に設けられた荷重受け部で受ける構成となっていることを特徴とする物品保持具により、達成される。
【００２４】
上記構成によれば、外側より上記揺動軸に向かって荷重が加わった際に、その荷重を上記第１及び第２の当接部及び上記荷重受け部で受ける構成となっているため、この荷重が上記第１及び第２の当接部にのみ加わることがない。したがって、これら第１及び第２の当接部の損傷を防ぐことができる。
【００２５】
そして、好ましくは、請求項１の構成において、上記移動部が上記複数の保持具本体を、相互に近接方向に付勢させる付勢力を有する弾性部材であることを特徴とする物品保持具により、達成される。
【００２６】
また、好ましくは、請求項７の構成において、上記弾性部材がコイルバネであり、このコイルバネの一端部を格納するためにバネ形状と同様の形状のバネ格納部が、上記保持具本体に設けられていることを特徴とする物品保持具により、達成される。
【００２７】
上記構成によれば、上記保持具本体に上記コイルバネの一端部を格納するためにバネ形状と同様の形状のバネ格納部が設けられているため、このコイルバネがこの保持具本体から離脱するのを防ぐことができる。
【００２８】
【発明の実施の形態】
以下、この発明の好適な実施形態を図１乃至図１５を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２９】
図１は、本発明の物品保持具の実施の形態にかかるタオル地挟持用クリップ１００を示す図である。
このタオル地挟持用クリップ１００は、例えば乳幼児等の首部等にかけるための紐部２００の両端に２つ配置されている。そして、この紐部２００を乳幼児等の首にかけ、これら２つのタオル地挟持用クリップ１００が、乳幼児の胸部付近に配置されるようにした後、これらタオル地挟持用クリップ１００に、例えば物品であるタオル地を挟む。このようにすることで、このタオル地をエプロンとして使用することができる。
【００３０】
このタオル地挟持用クリップ１００は、後述するコイルバネ１４０を除き、例えば樹脂等により形成されている。そして、このタオル地挟持用クリップ１００は、揺動軸１１０を支点として揺動するようになっている保持具本体である上蓋１２０と、同じく保持具本体である下蓋１３０とを有している。
そして、これら上蓋１２０と下蓋１３０の図において左側には、タオル地を挟持するための挟持部である上蓋噛み込み部１２１と下蓋噛み込み部１３１が、それぞれ上蓋１２０と下蓋１３０に設けられている。
また、これら上蓋１２０と下蓋１３０との間には、移動部であるコイルバネ１４０が設けられている。このコイルバネ１４０は、上記上蓋１２０の上蓋噛み込み部１２１と上記下蓋１３０の下蓋噛み込み部１３１が近接する方向に付勢力が加わるように、上蓋１２０及び下蓋１３０に対して配置されている。
さらに、下蓋１３０には、バネ格納部であるコイルバネ格納部１３２が設けられている。このコイルバネ格納部１３２には、コイルバネ１４０の下蓋１３０側のコイルバネ１４０の端部が格納されるようになっている。
【００３１】
なお、これら上蓋１２０及び下蓋１３０の図において右側には、上蓋１２０の上蓋噛み込み部１２１と下蓋１３０の下蓋噛み込み部１３１を、相互に離間する方向に、上蓋１２０と下蓋１３０を揺動（移動）させる際に、使用者が把持するための上蓋把持部１２３と下蓋把持部１３３が、上蓋１２０及び下蓋１３０に、それぞれ設けられている。
そして、この下蓋把持部１３３には、紐部２００の端部を接続させるための長方形の接続穴１３３ａが設けられており、この接続穴１３３ａによって、紐部２００とタオル地挟持用クリップ１００が、図１に示すように接続されることになる。
【００３２】
図２は、図１のタオル地挟持用クリップ１００の上蓋１２０の上蓋噛み込み部１２１と下蓋１３０の下蓋噛み込み部１３１が、相互に離間する方向に揺動させた状態を示している。図３（１）は、コイルバネ格納部１３２を除いた状態の下蓋１３０を示す図であり、図３（２）は上蓋１２０を示す図である。
図２及び図３（２）において上蓋１２０には、タオル地挟持用クリップ１００の機構部を隠すための目隠し板１２４が設けられている。この目隠し板１２４は、その内部機構を隠すと同時に、その表面に乳幼児等が喜ぶ絵等を描くことができるようになっている。
図１、図２及び図３において、上蓋１２０及び下蓋１３０には、それぞれ上蓋揺動軸受け部１２５と下蓋揺動軸受け部１３５が設けられている。この上蓋揺動軸受け部１２５は、図３（２）に示すように、略コの字状に形成された上蓋本体１２６の一部を円弧状に突出して形成されている。また、この上蓋揺動軸受け部１２５には、揺動軸１１０と係合するための貫通孔である係合孔１２５ａが設けられている。
【００３３】
また、この上蓋揺動軸受け部１２５の凸部形状に対応するように、下蓋１３０には、下蓋揺動軸受け部１３５が、図３（１）に示すように配置されている。すなわち、この下蓋揺動軸受け部１３５には、先ず、下蓋１３０の表面から山形に隆起して形成されている山形部１３５ａが設けられている。この山形部１３５ａには、上蓋１２０の係合孔１２５ａと係合するための円柱状の揺動軸１１０が設けられている。
この下蓋揺動軸受け部１３５には、図３（１）に示すように、円弧状に抉るように谷形部１３５ｂが設けられている。この谷形部１３５ｂは、上記上蓋揺動軸受け部１２５の突出形状に対応するように形成されている。すなわち、下蓋１３０の揺動軸１１０と上蓋１２０の係合孔１２５ａを係合させ、上蓋１２０と下蓋１３０を、図１及び図２のように揺動させた場合にも、その揺動に支障がないような形状となっている。
【００３４】
また、図３（１）及び（２）に示すように、上蓋揺動軸受け部１２５の係合孔１２５ａの近傍には、規制部であり当接部でもある上蓋ストッパ１２５ｂが設けられている。一方、下蓋揺動軸軸受け部１３５にも、同様の規制部であり当接部でもある下蓋ストッパ１３５ｃが設けられている。これら上蓋ストッパ１２５ｂと下蓋ストッパ１３５ｃは、図１に示すように、上蓋１２０と下蓋１３０が組み合わさり、コイルバネ１４０の付勢力により上蓋噛み込み部１２１と下蓋噛み込み部１３１が近接する方向に移動（揺動）した場合に、相互に当接部が当接するようになっている。
このように、上蓋ストッパ１２５ｂと下蓋ストッパ１３５ｃが、それらの当接部を当接させるので、上蓋噛み込み部１２１と下蓋噛み込み部１３１の移動を規制できることになる。
また、上述のように上蓋ストッパ１２５ｂと下蓋ストッパ１３５ｃが当接すると、上蓋１２０と下蓋１３０は、上蓋噛み込み部１２１と下蓋噛み込み部１３１が近接する方向には、それ以上移動しないこととなり、上蓋１２０と下蓋１３０の移動は規制されることになる。
このように、上蓋ストッパ１２５ｂと下蓋ストッパ１３５ｃが、揺動軸１１０の近傍に配置されているため、上蓋１２０と下蓋１３０の揺動による上蓋噛み込み部１２１と下蓋噛み込み部１３１の移動が正確に規制されることになる。
【００３５】
ところで、上述の上蓋噛み込み部１２１は、図３（２）で示すように、具体的には上蓋１２０の目隠し板１２４に例えば２つ設けられている。これら２つの上蓋噛み込み部１２１、１２１は、目隠し板１２４の表面から円筒形に突出するように形成されている。
一方、下蓋噛み込み部１３１は、図３（１）に示すように、下蓋１３０の表面から山形に突出するように２つ設けられている。これら上蓋噛み込み部１２１、１２１と下蓋噛み込み部１３１、１３１が、図１に示すように噛み込む場合は、下蓋噛み込み部１３１、１３１の山形部分が、上蓋噛み込み部１２１、１２１の円筒形の内部に挿入されることになる。
このように、上蓋噛み込み部１２１、１２１と下蓋噛み込み部１３１、１３１が、上記上蓋ストッパ１２５ｂと下蓋ストッパ１３５ｃの当接によって移動を規制された状態で、噛み込んでいる状態を示したのが、図４（１）である。
【００３６】
図４（１）に示すように、タオル地挟持用クリップ１００は、上蓋噛み込み部１２１、１２１と下蓋噛み込み部１３１、１３１が、上蓋ストッパ１２５ｂと下蓋ストッパ１３５ｃの当接によって移動を規制されている。このため、上蓋噛み込み部１２１、１２１と下蓋噛み込み部１３１、１３１が直接、接触することなく、噛み込むことになる。
以上のように、上蓋噛み込み部１２１、１２１と下蓋噛み込み部１３１、１３１が直接、接触することなく、噛み込む構成となっているタオル地挟持用クリップ１００によって、タオル地を挟持する方法について以下、説明する。
【００３７】
先ず、図４（２）に示すように、タオル地挟持用クリップ１００の上蓋把持部１２３と下蓋把持部１３３を、使用者が把持し、コイルバネ１４０の付勢力に抗して、図４（２）の矢印方向に、上蓋１２０と下蓋１３０を揺動させる。
これによって、上蓋噛み込み部１２１と下蓋噛み込み部１３１は、相互に離間する方向に移動し、両者の間にタオル地３００を配置する十分な空間が生じることとなる。
この上蓋噛み込み部１２１と下蓋噛み込み部１３１との間に、タオル地３００を載置することになる。このタオル地３００は、テリー織物ともいい、非常に吸水性の大きい綿織物等でなり、片面又は両面が、ループ３１０を有する輪奈糸で覆われている。
このタオル地３００が、上蓋噛み込み部１２１と下蓋噛み込み部１３１との間に載置された後、使用者は把持している上蓋把持部１２３と下蓋把持部１３３に対する力を緩める。これによって、コイルバネ１４０の付勢力が使用者の把持力に優るため、上蓋１２０の上蓋噛み込み部１２１と下蓋１３０の下蓋噛み込み部１３１が近接する方向に、上蓋１２０と下蓋１３０が揺動することになる。そして、この上蓋噛み込み部１２１と下蓋噛み込み部１３１は、タオル地３００を挟持するまで、近接方向に移動し、このタオル地３００を挟持した状態で、停止する。
【００３８】
このとき、下蓋噛み込み部１３１、１３１の山形部分が、上蓋噛み込み部１２１、１２１の略円筒形の内部に挿入されるため、それによりタオル地３００が変形する。このため、下蓋噛み込み部１３１、１３１と上蓋噛み込み部１２１、１２１は、タオル地３００をより確実に挟持することができる。
このようにして、タオル地３００は、タオル地挟持用クリップ１００で挟持され、かつ保持される。このとき、タオル地挟持用クリップ１００が上述のように紐部２００の両端に設けられているときは、この紐部２００を乳幼児の首にかけ、乳幼児の胸部付近にタオル地挟持用クリップ１００、１００が位置するようにする。そして、母親等の使用者がタオル地挟持用クリップ１００、１００を上述のように操作して、タオル地３００を挟持させると、このタオル地３００は簡易な乳幼児用エプロンとなる。
そして、タオル地３００を、エプロンとして使用した後、母親等がこのタオル地３００をタオル地挟持用クリップ１００から外すこととなる。その際、母親等は、図４（２）の矢印イの方向に、タオル地３００を引くことで、容易に外そうとする。このとき、このタオル地３００が、引かれるに程度にしたがって、タオル地挟持用クリップ１００の上蓋噛み込み部１２１と下蓋噛み込み部１３１の間が近接することとなる。これは、コイルバネ１４０の付勢力が作用するからである。
【００３９】
したがって、このタオル地３００の多くの部分が、タオル地挟持用クリップ１００から外れた状態では、コイルバネ１４０の付勢力によって、上蓋噛み込み部１２１と下蓋噛み込み部１３１の間が最も近接することになる。しかし、このとき、本実施の形態にかかるタオル地挟持用クリップ１００によれば、図４（３）に示すように、上蓋ストッパ１２５ｂと下蓋ストッパ１３５ｃが当接するため、タオル地挟持用クリップ１００の上蓋噛み込み部１２１と下蓋噛み込み部１３１の間に隙間ができる。このため、タオル地３００のループ３１０を、上蓋噛み込み部１２１と下蓋噛み込み部１３１とで挟持してしまうことがない。ゆえに、タオル地３００の「ほつれ」が生じることを有効に防止することができる。
【００４０】
図５は、図１に示されている本実施の形態の上蓋噛み込み部１２１と下蓋噛み込み部１３１の変形例を示す図である。図において、タオル地挟持用クリップ５００は、上蓋噛み込み部５２１と下蓋噛み込み部５３１の形状を除き、他の部分は図１と同様であるため、図１と同一の符号を付す等して、この同様の部分の説明を省略する。
図において、タオル地挟持用クリップ５００の上蓋噛み込み部５２１と下蓋噛み込み部５３１は、共に、図１の上蓋噛み込み部１２１と下蓋噛み込み部１３１と異なり、断面形状が鋸状になっている。すなわち、断面が略三角形の山形で、この三角形の山形が３つ並んだような形状をしている。そして、この山形の突起部分と谷の部分が、相互に歯合するように上蓋噛み込み部５２１と下蓋噛み込み部５３１は配置されている。
これら上蓋噛み込み部５２１と下蓋噛み込み部５３１の歯合状態の断面を示したのが図６である。
図６に示すように、上蓋噛み込み部５２１と下蓋噛み込み部５３１は、相互に近接した場合であっても、上蓋ストッパ１２５ｂと下蓋ストッパ１３５ｃが当接して、上蓋１２０と下蓋１３０の移動（揺動）を規制するため、相互に接触することがなく、一定の間隔を保持することになる。したがって、上述の上蓋噛み込み部１２１と下蓋噛み込み部１３１と同様に、タオル地３００をこの上蓋噛み込み部５２１と下蓋噛み込み部５３１の歯合によって、変形させ確実に挟持することになる。
【００４１】
また、上述の上蓋噛み込み部１２１と下蓋噛み込み部１３１と同様に、タオル地３００をタオル地挟持用クリップ５００から外すときも、タオル地３００のループ３１０を、上蓋噛み込み部５２１と下蓋噛み込み部５３１とで挟持してしまうことがない。ゆえに、タオル地３００の「ほつれ」が生じることを有効に防止することができる。
【００４２】
図７は、図１に示されている本実施の形態の上蓋噛み込み部１２１と下蓋噛み込み部１３１の第１の変形例を示す図である。図において、タオル地挟持用クリップ８００は、上蓋噛み込み部８２１と下蓋噛み込み部８３１の形状を除き、他の部分は図１と同様であるため、図１と同一の符号を付す等して、この同様の部分の説明を省略する。
図において、上蓋噛み込み部８２１は、上蓋１２０の目隠し板１２４の表面から円筒形に突出するように形成されている。そして、この上蓋噛み込み部８２１の図において底部には、摩擦部である例えば波状の凹凸部８２１ａが形成されている。
一方、下蓋噛み込み部８３１は、下蓋１３０の表面から山形に突出するように形成されており、この下蓋噛み込み部８３１の図において上部には、摩擦部である例えば波状の凹凸部８３１ａが設けられている。そして、この凹凸部８３１ａの凹凸形状は、上記上蓋噛み込み部８２１の凹凸部８２１ａと噛み込むような形状となっている。
このように本変形例では、図１のタオル地挟持用クリップ１００と異なり、上蓋噛み込み部８２１及び下蓋噛み込み部８３１に波状の凹凸部８２１ａ、８３１ａがそれぞれ設けられている。
【００４３】
図８は、本変形例の上蓋噛み込み部８２１と下蓋噛み込み部８３１がタオル地３００を噛み込んだ状態を示す図である。図示するように、山形の突出部分である下蓋噛み込み部８３１が、上蓋噛み込み部８２１の円筒形の内部に挿入すると、タオル地３００が変形する。そして、このタオル地３００は、上蓋噛み込み部８２１の凹凸部８２１ａと下蓋噛み込み部８３１の凹凸部８３１ａとによっても挟持されることになる。
これら凹凸部８２１ａ、８３１ａによって挟持されたタオル地３００は、凹凸部８２１ａ、８３１ａの表面の波状の形状により、これら凹凸部８２１ａ、８３１ａとの間で摩擦が大きくなる。このため、本変形例のタオル地挟持用クリップ８００では、図４（２）のタオル地挟持用クリップ１００に比べ、より確実にタオル地３００を挟持することができるため、タオル地３００の脱落を有効に防止することができる。
なお、本変形例では、上蓋噛み込み部８２１の図７における底部及び下蓋噛み込み部８３１の図７における上部に波状の凹凸部８２１ａ、８３１ａがそれぞれ設けられている。しかし、本発明はこれに限らず、例えば波状の凹凸部８２１ａが上蓋噛み込み部８２１の内周面に形成され、これに対応して、波状の凹凸部８３１ａが下蓋噛み込み部８３１の外周面に形成される場合でもよい。
【００４４】
図９は、図１に示されている本実施の形態の上蓋噛み込み部１２１と下蓋噛み込み部１３１の第２の変形例を示す図である。図において、タオル地挟持用クリップ６００は、上蓋噛み合わせ部６２１と下蓋噛み合わせ部６３１の形状を除き、他の部分は図１と同様であるため、図１と同一の符号を付す等して、この同様の部分の説明を省略する。
図において、タオル地挟持用クリップ６００の上蓋噛み合わせ部６２１と下蓋噛み合わせ部６３１は、共に、図１の上蓋噛み込み部１２１と下蓋噛み込み部１３１と異なり、断面が略三角形の山形で、この三角形の山形が３つ並んだような形状をしている。この形状は、図５に示す変形例の上蓋噛み込み部５２１と下蓋噛み込み部５３１と同様である。
しかし、本変形例は、図５の変形例と異なり、この山形の突起部分と谷の部分が、相互に歯合するようには配置されていない。
図１０は、本変形例の上蓋噛み合わせ部６２１と下蓋噛み合わせ部６３１の噛み合わせ状態を示す図である。図１０に示すように、上蓋噛み合わせ部６２１の山形部分と下蓋噛み合わせ部６３１の山形部分、及び上蓋噛み合わせ部６２１の谷の部分と下蓋噛み合わせ部６３１の谷の部分が、相互に近接するように噛み合うようになっている。
【００４５】
そして、これら上蓋噛み合わせ部６２１と下蓋噛み合わせ部６３１は、相互に近接するが、上蓋ストッパ１２５ｂと下蓋ストッパ１３５ｃが当接するため、決して相互に当接することがない。
したがって、上述の上蓋噛み込み部１２１と下蓋噛み込み部１３１と同様に、タオル地３００をタオル地挟持用クリップ６００から外すときも、タオル地３００のループ３１０を、上蓋噛み合わせ部６２１と下蓋噛み合わせ部６３１とで挟持してしまうことがない。ゆえに、タオル地３００の「ほつれ」が生じることを有効に防止することができる。
【００４６】
ところで、本実施の形態では、図１及び図１１に示すように、コイルバネ格納部１３２が下蓋１３０に設けられている。このコイルバネ格納部１３２は、下蓋１３０と同様に樹脂等により形成されている。
図１２は、コイルバネ１４０の端部が、このコイルバネ格納部１３２に格納された状態を示す断面図である。
図１１及び図１２に示すように、このコイルバネ格納部１３２は、全体の断面がＬ字形を成しており、その底面、側面及び平面に３つの四角形の開口が設けられている。このうち、底面の開口部は、下蓋１３０の表面に対して向いているため、この下蓋１３０の開口と連通するようになっている。
また、上記側面の開口は、コイルバネ１４０の端部を挿入する挿入開口１３２ａとなっている。そして、上記平面の開口は、この挿入開口１３２ａから挿入されたコイルバネ１４０の端部の一部を排出するための、排出開口１３２ｂとなっている。
【００４７】
このようなコイルバネ格納部１３２に、コイルバネ１４０の一方の端部を挿入することになる。このときコイルバネ１４０の一方の端部は、円弧を描くように湾曲して形成されているため、この湾曲部分を、コイルバネ格納部１３２の挿入開口１３２ａに挿入し、コイルバネ格納部１３２の内部を通過して、コイルバネ格納部１３２の排出開口１３２ｂから、その一部を突出させるように配置する。このとき、コイルバネ格納部１３２は、その内部形状が、コイルバネ１４０の端部の形状と同様の形状となっている。そのため、上記のようにコイルバネ１４０の端部を配置することで、コイルバネ１４０の一方の端部は、下蓋１３０に固定されることになる。なお、ここで用いるコイルバネ１４０は、例えば鉄等の金属製の線をコイル状に巻いて形成したものである。
【００４８】
このように本実施の形態にかかるタオル地挟持用クリップ１００の下蓋１３０に設けられているコイルバネ格納部１３２は、コイルバネ１４０の一方の端部の形状と同様の形状を成しているため、コイルバネ１４０の端部の離脱を防ぐことができ、乳幼児等が怪我等をするのを有効に予防することができる。
【００４９】
図１３は、図１２に示す本実施の形態にかかるタオル地挟持用クリップ１００のコイルバネ１４０の変形例であるコイルバネ４４０を表す図である。図１４は、図１３のコイルバネ４４０を、矢印方向から見た図である。
図１３及び図１４のコイルバネ４４０は、図１２のコイルバネ１４０と比べ、その端部の湾曲状態が異なっている。このようなコイルバネ４４０であっても、本実施の形態にかかるコイルバネ格納部１３２を用いて、確実に固定することができる。
【００５０】
図１５は、図１１に示すコイルバネ格納部１３２の第１の変形例を示す図である。図においてコイルバネ格納部７３２以外の部分は、図１１と同一なので同一符号を付して説明を省略する。
図１５において、本変形例にかかるコイルバネ格納部７３２は、図１１のコイルバネ格納部１３２と異なり、その側面に設けられている開口部である挿入開口７３２ａの開口形状が四角形ではなく半楕円形である。また、コイルバネ格納部７３２の平面に設けられている開口部である排出開口７３２ｂの開口形状も四角形ではなく、半楕円形である。
このような開口部の形状としても、コイルバネ格納部７３２は、図１１及び図１２のコイルバネ格納部１３２と同様に、コイルバネ１４０の一方の端部の形状と同様の形状を成しているため、コイルバネ１４０の端部の離脱を防ぐことができ、乳幼児等が怪我等をするのを有効に予防することができる。
【００５１】
図１６は、図１１に示すコイルバネ格納部１３２の第２の変形例を示す図である。図においてコイルバネ格納部８３２及びコイルバネ５４０以外の部分は、図１１と同一なので同一符号を付して説明を省略する。
図１６において、コイルバネ５４０は、図１１のコイルバネ１４０と比べ、その端部が湾曲ではなく、屈曲している。そして、その屈曲方向も約９０度異なっている。すなわち、本変形例のコイルバネ５４０の端部は、下蓋１３０の表面に対して略平行の方向でかつ、略直角に屈折している。
そして、このコイルバネ５４０の端部の屈折状態に対応し、かつその端部を全て覆うようにして、コイルバネ格納部８３２が下蓋１３０に設けられている。
このようにコイルバネ５４０の端部が屈折し、この部分をコイルバネ格納部８３２が覆っているため、図９の実施の形態に比べ、コイルバネ格納部８３２は、よりコイルバネ５４０の形状に沿った形状とすることができる。
したがって、図１１の実施の形態に比べ、コイルバネ５４０の端部の離脱をより防ぐことができ、乳幼児等が怪我等をするのを更に有効に予防することができる。
【００５２】
図１７は、図１１に示すコイルバネ格納部１３２の第３の変形例を示す図である。図においてコイルバネ格納部９３２以外の部分は、図１１と同一なので同一符号を付して説明を省略する。
図１９は、図１７において示した本変形例に係るコイルバネ格納部９３２を表した概略斜視図である。また、図１８は図１７において示した本変形例に係るコイルバネ格納部９３２を表した概略断面図である。
図１９において示されているように、コイルバネ格納部９３２の挿入開口９３２ａ及び排出開口９３２ｂが設けられている側は、その形状が略Ｈ形で形成されている。また、図１８で示されているように、このコイルバネ格納部９３２の側面は、一辺が円弧状に形成されている。
このようなコイルバネ格納部９３２にコイルバネ１４０を設置する場合について以下、説明する。先ず、コイルバネ格納部９３２の挿入開口９３２ａにコイルバネ１４０の端部が挿入されることになる。そして、このコイルバネ１４０の端部の湾曲部分は、コイルバネ格納部９３２の内部を通過して、排出開口９３２ｂへ向かうことになる。この状態が図１８に示した図である。
このようにコイルバネ１４０の湾曲している端部が、コイルバネ格納部９３２内に収容されるため、コイルバネ１４０の端部によって使用者等が怪我等するのを未然に防止することができる。
【００５３】
ところで、図２０は図１及び図３に示す本実施の形態にかかるタオル地挟持用クリップ１００の揺動軸１１０及びその近傍を表した図である。
図２０（１）に示すように、上蓋１２０の上蓋揺動軸受け部１２５の山形部分１２５ｃと、これに対応する下蓋１３０の下蓋揺動軸受け部１３５の谷形部１３５ｂとが上蓋１２０及び下蓋１３０の揺動を妨げないように配置されている。そして、上蓋ストッパ１２５ｂと下蓋ストッパ１３５ｃは、相互に当接するが、これら上蓋揺動軸受け部１２５の山形部分と、これに対応する下蓋１３０の下蓋揺動軸受け部１３５の谷形部１３５ｂは、矢印で示すように、僅かな隙間を保持している。
この状態で図２０（２）に示すように、上方より荷重が加わった場合、この荷重により、上蓋揺動軸受け部１２５が下方に移動して、この山形部分１２５ｃが、下蓋１３０の下蓋揺動軸受け部１３５の谷形部１３５ｂに当接して、加わった荷重を受けることになる。すなわち、これら山形部分１２５ｃと谷形部１３５ｂが、荷重受け部となる。
【００５４】
このように、揺動軸１１０に向かって一定の荷重、例えば乳幼児等が足でタオル地挟持用クリップ１００が踏んだ場合等の荷重が加わっても、その荷重は上蓋ストッパ１２５ｂ及び下蓋ストッパ１３５ｃのみに加わるのではなく、上記荷重受け部である上蓋揺動軸受け部１２５の山形部分１２５ｃと下蓋揺動軸受け部１３５の谷形部１３５ｂにも加わることになる。
これにより、加わる荷重が上蓋ストッパ１２５ｂ及び下蓋ストッパ１３５ｃに集中せず、これらの損傷を防ぐことができる。したがって、荷重等の衝撃にも強いタオル地挟持用クリップ１００となる。
【００５５】
ところで、本発明にかかる物品保持具は、上述のタオル地挟持用クリップ１００等の構成に限らず、他の構成にかかる物品保持具を含むものである。例えば、おしゃぶり等の物品を、このおしゃぶり使用者の洋服等に固定し、おしゃぶりの落下を防ぐための物品保持具として構成する場合等である。
【００５６】
【発明の効果】
以上のように、本発明によれば、物品に損傷等を与えることなく、物品を着脱でき、かつ保持することができる物品保持具を提供するができる。
【図面の簡単な説明】
【図１】本発明の実施の形態にかかるタオル地挟持用クリップを示す概略斜視図である。
【図２】図１のタオル地挟持用クリップの上蓋噛み込み部と下蓋噛み込み部が相互に離間する方向に揺動している状態を示す概略斜視図である。
【図３】（１）は、図２のタオル地挟持用クリップの上蓋を示す概略斜視図である。
（２）は、図２のタオル地挟持用クリップの下蓋を示す概略斜視図である。
【図４】（１）は、図２のタオル地挟持用クリップの上蓋噛み込み部と下蓋噛み込み部が噛み込んだ状態を示す概略図である。（２）は、（１）のタオル地挟持用クリップの上蓋噛み込み部と下蓋噛み込み部との間にタオル地を載置した状態を示す概略図である。（３）は、（２）のタオル地挟持用クリップからタオル地を外した状態を示す概略図である。
【図５】図１のタオル地挟持用クリップの変形例を示す概略斜視図である。
【図６】図５の上蓋噛み込み部と下蓋噛み込み部の歯合状態を示す概略斜視図である。
【図７】図１の上蓋噛み込み部と下蓋噛み込み部の第１の変形例を示す部分断面図である。
【図８】図７の本変形例の上蓋噛み込み部と下蓋噛み込み部がタオル地３００を噛み込んだ状態を示す図である。
【図９】図１のタオル地挟持用クリップの他の変形例を示す概略斜視図である。
【図１０】図９の上蓋噛み込み部と下蓋噛み込み部の歯合状態を示す概略図である。
【図１１】図１のコイルバネ格納部を示した概略図である。
【図１２】図１１の概略断面図である。
【図１３】図１のタオル地挟持用クリップのコイルバネの変形例を示す概略斜視図である。
【図１４】図１３のコイルバネを矢印方向から表した概略側面図である。
【図１５】図１１に示すコイルバネ格納部の第２の変形例を示す概略斜視図である。
【図１６】図１１に示すコイルバネ格納部の他の変形例を示す概略斜視図である。
【図１７】図１１に示すコイルバネ格納部の第３の変形例を示す概略斜視図である。
【図１８】図１７に示すコイルバネ格納部を表した概略断面図である。
【図１９】図１７に示すコイルバネ格納部を表した概略斜視図である。
【図２０】図１のタオル地挟持用クリップの揺動軸及びその近傍を示す図である。
【図２１】従来のクリップを示す図である。
【図２２】図２１のクリップがタオル地挟持した状態を示す概略図である。
【図２３】タオル地に「ほつれ」が生じた状態を示す概略図である。
【符号の説明】
１００、５００      タオル地挟持用クリップ
１１０      揺動軸
１２０      上蓋
１２１      上蓋噛み込み部
１２３      上蓋把持部
１２４      目隠し板
１２５      上蓋揺動軸受け部
１２５ａ    係合孔
１２５ｂ    上蓋ストッパ
１２５ｃ    山形部分
１２６      上蓋本体
１３０      下蓋
１３１      上蓋噛み込み部
１３２、７３２        コイルバネ格納部
１３２ａ、７３２ａ      挿入開口
１３２ｂ、７３２ｂ      排出開口
１３３      下蓋把持部
１３３ａ    接続穴
１３５      下蓋揺動軸受け部
１３５ａ    山形部
１３５ｂ    谷形部
１３５ｃ    下蓋ストッパ
１４０      コイルバネ
２００      紐部
３００      タオル地
３１０      ループ
【図１】
0004199337.tif 000002
【図２】
0004199337.tif 000003
【図３】
0004199337.tif 000004
【図４】
0004199337.tif 000005
【図５】
0004199337.tif 000006
【図６】
0004199337.tif 000007
【図７】
0004199337.tif 000008
【図８】
0004199337.tif 000009
【図９】
0004199337.tif 000010
【図１０】
0004199337.tif 000011
【図１１】
0004199337.tif 000012
【図１２】
0004199337.tif 000013
【図１３】
0004199337.tif 000014
【図１４】
0004199337.tif 000015
【図１５】
0004199337.tif 000016
【図１６】
0004199337.tif 000017
【図１７】
0004199337.tif 000018
【図１８】
0004199337.tif 000019
【図１９】
0004199337.tif 000020
【図２０】
0004199337.tif 000021
【図２１】
0004199337.tif 000022
【図２２】
0004199337.tif 000023
【図２３】
0004199337.tif 000024